(57)【要約】搭乗者の動きによって前／後進及びシーソー運動することによって、搭乗者に揺れを通じて遊びの楽しみを与えることができる揺れる馬車テーブルが開示される。馬車テーブルは、レール上に設置され、搭乗者の動きによって前進及び後進する馬車本体と、搭乗者の動きによってシーソー運動するシーソー運動部材と、テーブル部材と、遮光部材とを含む。
2021526447.tif 000002
【特許請求の範囲】
【請求項１】
一定の長さで形成されたレールと、
前記レール上に設置され、搭乗者の動きによって前記レールに沿って前進及び後進する馬車本体と、
前記馬車本体に互いに対応するように設置され、搭乗者の動きによってシーソー運動するシーソー運動部材と、
前記シーソー運動部材の間に設置されるテーブル部材と、
前記馬車本体の上部に設置されて搭乗者を日光から保護する遮光部材とを含む、揺れる馬車テーブル。
【請求項２】
前記レールは、
長手方向の中心部を基準として互いに対応する両側の領域に一定の曲率を有するように形成され、前記馬車本体の前進及び後進を案内する案内部をさらに含むことを特徴とする、請求項１に記載の揺れる馬車テーブル。
【請求項３】
前記馬車本体には、前記案内部に配置される車輪が装着され、
前記馬車本体は、搭乗者の動きによって前記車輪が前記案内部に沿って前進及び後進して、前記案内部の曲率によって揺れを提供することを特徴とする、請求項２に記載の揺れる馬車テーブル。
【請求項４】
前記シーソー運動部材は、
前記馬車本体の底板にヒンジを媒介として連結され、互いに対応するように設置されて搭乗者が座ることができる一対の椅子と、
前記一対の椅子のそれぞれの下部一側に設置され、前記椅子が前記ヒンジを中心にシーソー運動する際に衝撃を緩和する弾性支持部と、
前記弾性支持部と対応するように前記椅子の下部他側に配置され、前記底板に一定の高さで設置されるストッパーとを含み、
前記椅子は、前記弾性支持部及び前記ストッパーによってシーソー運動の角度が調節されることを特徴とする、請求項１に記載の揺れる馬車テーブル。
【請求項５】
前記弾性支持部は、
ボルト及びスプリングの組み合わせによって前記底板に支持されるように設置され、前記ボルトの操作に応じて前記椅子のシーソー運動の角度が調節されることを特徴とする、請求項４に記載の揺れる馬車テーブル。
【請求項６】
前記テーブル部材は、
前記馬車本体の前記底板に一定の高さで設置される支えフレームと、
前記支えフレームによって支持されるように設置される網状構造の上板とを含むことを特徴とする、請求項１に記載の揺れる馬車テーブル。
【請求項７】
前記遮光部材は、
前記馬車本体に設置される支持フレームと、
前記馬車本体の上部領域を覆うように前記支持フレームの上部に設置された遮光幕とを含むことを特徴とする、請求項１に記載の揺れる馬車テーブル。
【請求項８】
前記遮光幕は、
前記馬車本体の上部を覆う上部遮光幕と、
前記上部遮光幕の周縁に沿って設置される側壁遮光幕とを含み、
前記遮光部材は、
前記上部遮光幕に１つ以上設置されて太陽光を集光する太陽光パネルをさらに含むことを特徴とする、請求項７に記載の揺れる馬車テーブル。
【請求項９】
前記テーブル部材に設置されて電源を供給する電気コンセントと、
前記テーブル部材に設置されて音響を提供するスピーカーと、
前記遮光部材の内／外部に設置される照明装置とをさらに含むことを特徴とする、請求項１に記載の揺れる馬車テーブル。
【請求項１０】
前記馬車本体の互いに対応する両側のそれぞれに設置された装飾用の車輪をさらに含み、
前記装飾用の車輪に多数の照明灯が設置されることを特徴とする、請求項１に記載の揺れる馬車テーブル。
【発明の詳細な説明】
【技術分野】
【０００１】
本発明は、馬車テーブルに関し、より詳細には、搭乗者の動きによって揺れを極大化できる揺れる馬車テーブルに関する。
【背景技術】
【０００２】
一般に、馬車は、馬が引く車を称するものであって、使用目的に応じて、人を乗せて運ぶ乗合馬車、駅馬車、幌馬車、遊覧馬車、賃貸馬車、自家用馬車、貨物を運搬する貨物馬車などに区分される。
【０００３】
このような馬車は、人や貨物を乗せて運搬するか、または食物や物を販売する用途以外に他の用途に使用されていないため、現代社会で活用性が次第に減少する傾向にある。
【０００４】
これによって、搭乗者が自分の動きによって馬車を揺らして遊びを楽しむことができながらも、食事及び休息が可能な空間を構築して活用性を高めることができる馬車テーブルに関する研究開発が要求されている。
【発明の概要】
【発明が解決しようとする課題】
【０００５】
本発明は、上記のような課題を解決するためのもので、搭乗者の動きによって前／後進及びシーソー運動することで、搭乗者に揺れを通じて遊びの楽しみを与えることができ、搭乗者の動きを通じた運動を自然に誘導することで健康の増進に寄与できる揺れる馬車テーブルを提供することを目的とする。
【０００６】
また、本発明は、自体発電を通じて様々な電気装置を運用することで、搭乗者に昼／夜間にも不便さのない休息空間を提供できる揺れる馬車テーブルを提供することを目的とする。
【０００７】
本発明で達成しようとする技術的課題は、以上で言及した技術的課題に制限されず、言及していない他の技術的課題は、下記の記載から、本発明の属する技術分野における通常の知識を有する者に明確に理解されるであろう。
【課題を解決するための手段】
【０００８】
本発明の実施例に係る揺れる馬車テーブルは、一定の長さで形成されたレールと；前記レール上に設置され、搭乗者の動きによって前記レールに沿って前進及び後進する馬車本体と；前記馬車本体に互いに対応するように設置され、搭乗者の動きによってシーソー運動するシーソー運動部材と；前記シーソー運動部材の間に設置されるテーブル部材と；前記馬車本体の上部に設置されて搭乗者を日光から保護する遮光部材とを含む。
【発明の効果】
【０００９】
本発明の揺れる馬車テーブルは、搭乗者の動きによってレールに沿って前／後進する馬車本体及びシーソー運動するシーソー運動部材の相互有機的な結合構造によって揺れを極大化することによって、搭乗者に揺れを通じて遊びの楽しみを与えることができ、搭乗者の動きを自然に誘導することで健康の増進に寄与できるという有用な効果がある。
【００１０】
また、搭乗者のシーソー運動の操作によって伝わる力によって馬車本体がレールに沿って前／後進することができるので、搭乗者にダイナミックな楽しみを与えることができる。
【００１１】
また、本発明の揺れる馬車テーブルは、自体発電によって運用可能な電気装置を提供することによって、搭乗者に馬車テーブルの利用の利便性を提供しながら、エネルギーの節減に寄与できるという効果がある。
【図面の簡単な説明】
【００１２】
【図１】本発明に係る揺れる馬車テーブルの全体構成を示す斜視図である。
【図２】本発明に係る揺れる馬車テーブルのレールを示す斜視図である。
【図３】本発明に係る揺れる馬車テーブルの内部を示す断面図である。
【図４】本発明に係る揺れる馬車テーブルに設けられたシーソー運動部材の全体構成を示す側面図である。
【図５】本発明に係る揺れる馬車テーブルの前／後進運動状態を示す使用状態図である。
【図６】本発明に係る揺れる馬車テーブルに装飾用の馬車の車輪が設置された状態を示す使用状態図である。
【図７】本発明に係る揺れる馬車テーブルのシーソー運動状態を示す使用状態図である。
【発明を実施するための形態】
【００１３】
本明細書及び特許請求の範囲に使用された用語や単語は、通常の又は辞書的な意味に限定して解釈されてはならず、発明者が自分の発明を最良の方法で説明するために用語の概念を適宜定義できるという原則に基づき、本発明の技術的思想に符合する意味及び概念として解釈されなければならない。
【００１４】
明細書全体において、ある部分がある構成要素を「含む」とするとき、これは、特に反対の記載がない限り、他の構成要素を除くものではなく、他の構成要素をさらに含むことができるということを意味する。また、明細書に記載された「…部」、「…器（機）」、「モジュール」、「装置」などの用語は、少なくとも１つの機能や動作を処理する単位を意味し、これは、ハードウェア及び／又はソフトウェアの結合で具現されてもよい。
【００１５】
明細書全体において、「及び／又は」の用語は、一つ以上の関連項目から提示可能な全ての組み合わせを含むものと理解されなければならない。例えば、「第１項目、第２項目及び／又は第３項目」の意味は、第１、第２又は第３項目だけでなく、第１、第２又は第３項目のうちの２つ以上から提示できる全ての項目の組み合わせを意味する。
【００１６】
以下、図面を参照して本発明の一実施例について説明する。
【００１７】
図１は、本発明に係る揺れる馬車テーブルの全体構成を示した斜視図であり、図２は、本発明に係る揺れる馬車テーブルのレールを示した斜視図であり、図３は、本発明に係る揺れる馬車テーブルの内部を示した断面図であり、図４は、本発明に係る揺れる馬車テーブルに設けられたシーソー運動部材の全体構成を示した側面図である。
【００１８】
本発明に係る揺れる馬車テーブルは、図１に示されたように、レール１０上に設置される馬車本体２０と、シーソー運動部材３０と、テーブル部材４０と、遮光部材５０とを含む。
【００１９】
前記の本発明に係る揺れる馬車テーブルは、搭乗者の動きによって馬車本体２０がレール１０に沿って前／後進運動し、シーソー運動部材３０が馬車本体において独自にシーソー運動することによって、前／後進運動及びシーソー運動を通じて、搭乗者に揺れる状態を提供できるようになるものである。
【００２０】
レール１０は、図２に示されたように、馬車本体２０の前／後進運動を案内するように形成される。このために、レール１０は、一定の長さで形成され、長手方向の中心部を基準として互いに対応する両側の領域に、一定の曲率を有する案内部１２が形成される。案内部１２は、馬車本体２０の前／後進運動を案内する役割を担当する。このようなレール１０は、案内部１２の構造によって、馬車本体２０の前／後進運動過程で揺れる状態を演出できるようになる。
【００２１】
馬車本体２０は、図３に示されたように、搭乗者の動きによって前／後進するようにレール１０上に設置される。また、馬車本体２０は、下部にレール１０の案内部１２に配置される車輪２２が装着される。このような馬車本体２０は、搭乗者の動きの際に、車輪２２がレール１０の案内部１２に沿って移動して前／後進できるようになる。すなわち、レール１０の案内部１２は、一定の曲率を有するように形成され、馬車本体２０は、車輪２２を媒介として案内部１２に設置されることによって、馬車本体２０は、搭乗者の動きの際に発生する力が車輪２２に伝達されて案内部１２に沿って前／後進し、このような前／後進運動過程で搭乗者に一定の揺れを提供できるようになるものである。
【００２２】
シーソー運動部材３０は、図４に示されたように、馬車本体２０に搭乗した搭乗者の動きによってシーソー運動するように設けられ、椅子３２と、弾性支持部３４と、ストッパー３６とを含む。
【００２３】
椅子３２は、馬車本体２０の底板２４とヒンジ３３を媒介として連結され、搭乗者が座ることができるように形成される。このとき、椅子３２は、底板２４に一定の間隔を置いて互いに対応するように設置される。また、椅子３２は、底板２４に分離可能に結合され、これによって、故障時に交換の容易性を確保しながらも、他の椅子との互換性を高めることができる。
【００２４】
弾性支持部３４は、椅子３２の下部一側にボルト３４Ａ及びスプリング３４Ｂの組み合わせで構成されるように設置される。このような弾性支持部３４は、搭乗者が椅子に座った状態でヒンジ３３を中心にシーソー運動時に、椅子３２の一側に作用する衝撃をスプリング３４Ｂによって緩和する構造からなるものである。
【００２５】
ここで、ボルト３４Ａは、椅子３２にスプリング３４Ｂと連結されるようにねじ結合されることで、ヒンジ３３を中心にシーソー運動する椅子のシーソー運動の角度を調節できるように構成される。すなわち、ボルト３４Ａは、搭乗者の操作に応じて底板２４との間隔が調節されることによって、椅子３２のシーソー運動の角度を調節できるようになるものである。
【００２６】
また、スプリング３４Ｂは、ボルト３４Ａと連結されるように設置され、これによって、使用者のシーソー運動時に椅子３２に伝達される衝撃を緩衝できるようになる。すなわち、スプリング３４Ｂは、ボルト３４Ａと連結されて底板２４に支持される構造を有する。
【００２７】
ストッパー３６は、弾性支持部３４と対応する椅子３２の下部他側に配置されるように底板２４に設置される。すなわち、ストッパー３６は、底板２４に一定の高さで設置され、これによって、椅子３２が使用者のシーソー運動によってテーブル部材４０の方向に向かって一定角度以上に傾斜することを制限できるようになる。
【００２８】
テーブル部材４０は、図１及び図３に示されたように、各種食物や物を載置できるように設けられ、支えフレーム４２及び上板４４を含む。
【００２９】
支えフレーム４２は、馬車本体２０の底板２４に一定の高さで設置され、上板４４は、支えフレーム４２の上部に連結されて一定の表面積を有するように形成される。
【００３０】
前記の上板４４は、各種食物や物を載せる場合、汚染を防止しながらも、外部衝撃による損傷及び破損などによる傷害を防止できるように網状構造で形成される。
【００３１】
ただし、網状構造は、ＬＥＤ照明の設置などの便宜のためのものであって、網状構造に限定されるものではない。
【００３２】
また、テーブル部材４０には、馬車本体２０に搭乗した搭乗者が休息中に情報を円滑に検索できるようにモニタ型コンピュータ４６が設置される。このとき、コンピュータ４６は、折り畳み式構造で設置されてもよい。
【００３３】
この他にも、テーブル部材４０には、馬車本体２０に搭乗した搭乗者の各種携帯用装置に電源を供給できる電気コンセント４８、及び音響を提供できるスピーカー４９が設置される。このとき、スピーカー４９は、有線で使用される一般のスピーカーは勿論、無線で使用されるブルートゥース（登録商標）スピーカーで構成されてもよい。
【００３４】
遮光部材５０は、図１及び図３に示されたように、搭乗者を日光から保護できるように設けられ、支持フレーム５２及び遮光幕５４を含む。
【００３５】
支持フレーム５２は、馬車本体２０と連結されるように設置される。
【００３６】
遮光幕５４は、馬車本体２０の上部領域を完全に覆うことができるように支持フレーム５２の上部に設置される。
【００３７】
ここで、遮光幕５４は、上部遮光幕５４Ａと、この上部遮光幕５４Ａの周縁に沿って形成される側壁遮光幕５４Ｂとで構成され得、側壁遮光幕５４Ｂは、モータで駆動される巻き取りロール５５に設置されて、自動で折り畳まれたり、展開されたりするように動作できるようになる。
【００３８】
このような遮光部材５０は、馬車本体２０に搭乗した搭乗者を強い日光から保護する構造を有する。この他にも、遮光部材５０は、搭乗者を雨天時にも保護することができる。
【００３９】
また、遮光部材５０は、遮光幕５４に太陽光を集光して電力を生産できる太陽光パネル５６が設置され、支持フレーム５２には、太陽光パネル５６の電力によって使用できる電気装置、例えば、照明装置５８、扇風機５９が設置され得、このような電気装置は、テーブル部材４０に設置された電気コンセント４８から電力の供給を受けるようになる。
【００４０】
ここで、照明装置５８は、蛍光灯、白熱灯、ＬＥＤ灯を含む公知の全ての照明灯で構成されてもよい。このとき、照明装置５８は、遮光部材５０の内部に設置されるか、または遮光部材５０の外部に設置されるか、または遮光部材５０の内／外部の両方に設置されてもよい。扇風機５９は、支持フレーム５２に角度の調節が可能なように設置され得る。この他にも、支持フレーム５２には、食事、遊び及び休息時に使用できる公知の様々な電気装置が設置されてもよい。
【００４１】
以下、図５乃至図７を参照して、本発明に係る揺れる馬車テーブルの作用を説明する。
【００４２】
図５は、本発明に係る揺れる馬車テーブルの前／後進運動状態を示した使用状態図であって、図示のように、搭乗者が互いに対向するようにシーソー運動部材３０の椅子３２に座った状態で、レール１０の長手方向に動くと、馬車本体２０は、レール１０に沿って搭乗者の動きが作用する方向に徐々に動くようになる。
【００４３】
このような馬車本体２０は、車輪２２を媒介としてレール１０の案内部１２に配置され、このような構造において車輪２２が搭乗者の動きの際に発生する力によって案内部１２に沿って移動することによって、馬車本体２０は、レール１０の長手方向に沿って前／後進できるようになる。
【００４４】
すなわち、馬車本体２０は、搭乗者Ａから作用する力によってレール１０に沿って前／後進し、搭乗者Ｂから作用する力によってレール１０に沿って前／後進する。
【００４５】
これによって、馬車本体２０は、搭乗者ＡとＢの反復的な動きによってレール１０に沿って前／後進する過程で、案内部１２の曲率構造によって一定の揺れを搭乗者に提供できるようになるものである。これは、案内部１２がレール１０の両側の領域に互いに対応するように配置された状態で、一定の曲率を有するように形成されるため可能である。
【００４６】
図６は、本発明に係る揺れる馬車テーブルに装飾用の馬車の車輪が設置された状態を示した使用状態図であって、図示のように、馬車本体２０の対応する両側に装飾用の馬車の車輪２６を設置し、装飾用の馬車の車輪２６の表面に多数の照明灯２８を設置して、馬車本体２０がレール１０に沿って移動する際に照明灯２８が点灯するようにすることによって、搭乗者が実際に馬車に乗っているような感じを自然に演出することができながらも、遊びの楽しみを向上させることができるようになる。
【００４７】
図７は、本発明に係る揺れる馬車テーブルのシーソー運動状態を示した使用状態図であって、図示のように、搭乗者がシーソー運動部材３０に設けられた椅子３２の前後方向に体を動かすと、椅子３２は、ヒンジ３３を中心にシーソー運動するようになる。このとき、椅子３２は、弾性支持部３４及びストッパー３６によってシーソー運動のための最適な角度に調節され、これによって、使用者は、安定したシーソー運動が可能となり得る。
【００４８】
すなわち、弾性支持部３４は、搭乗者が椅子３２に座った状態でヒンジ３３を中心にシーソー運動する際に、ボルト３４Ａによって底板２４との間隔が調節されることによって、シーソー運動の角度を調節できるようになり、スプリング３４Ｂは、椅子の一側に作用する衝撃を緩和できるようになる。
【００４９】
また、ストッパー３６は、椅子３２が搭乗者のシーソー運動によってテーブル部材４０の方向に向かって一定角度以上に傾斜することを制限することによって、シーソー運動部材３０のシーソー運動時に安定性を確保できるようになる。
【００５０】
これによって、シーソー運動部材３０は、搭乗者の動きによって馬車本体２０をレール１０の長手方向に沿って前／後進させながら、独自にシーソー運動することで、搭乗者の動きの際に揺れ構造を極大化できるようになる。
【００５１】
以上、本発明は記載された具体例について詳細に説明されたが、本発明の技術思想の範囲内で様々な変形及び修正が可能であることは当業者にとって明らかであり、このような変形及び修正が添付の特許請求の範囲に属することは当然である。
【産業上の利用可能性】
【００５２】
本発明は、揺れる馬車テーブルに関し、搭乗者の動きによって前進／後進及びシーソー運動を提供して揺れを極大化することによって、搭乗者に遊びの楽しみを与えると同時に、自然な運動を誘導して健康の増進に寄与することができる。
【図１】
2021526447.tif 000003
【図２】
2021526447.tif 000004
【図３】
2021526447.tif 000005
【図４】
2021526447.tif 000006
【図５】
2021526447.tif 000007
【図６】
2021526447.tif 000008
【図７】
2021526447.tif 000009
【国際調査報告】
2021526447.tif 000010
2021526447.tif 000011
2021526447.tif 000012
2021526447.tif 000013